(57)【要約】【課題】長期の使用によっても感熱ヘッドが支持パイプに固着しない温度検出装置を提供する。【解決手段】コンロバーナーの中央に立設された支持パイプに、感熱ヘッドが嵌め込まれており、この感熱ヘッドには、感熱ヘッドの下端に煮零れ汁がかかることを防止する煮零れ汁カバーが設けられ、更に、煮零れ汁カバーよりも下方の位置には、支持パイプに沿って上昇する油煙の流れを遮る油煙カバーが設けられている。煮零れ汁カバーの裏面側に油煙による微粒子が付着すると、そこを煮零れ汁が伝わって広がることにより、煮零れ汁が固化した部分が広がっていくが、油煙カバーを設ければ、煮零れ汁カバーの裏面側に微粒子が付着することを防止できるので、煮零れ汁が伝わって固化することが無くなり、感熱ヘッドが支持パイプに固着することを回避することが可能となる。【選択図】図２
2016008727.tif 000002
【特許請求の範囲】
【請求項１】
コンロバーナーの中央に設けられて、五徳上に置かれた調理容器の温度を検出する温度検出装置において、
前記コンロバーナーの中央に立設された支持パイプと、
上下方向に移動可能な態様で前記支持パイプに嵌め込まれたホルダーと、
前記ホルダーの上端に取り付けられた集熱板と、
該集熱板の下面に取り付けられた温度センサーと、
前記ホルダーを上方に付勢するコイルバネと
を備え、
前記ホルダーには、該ホルダーの下端に前記調理容器からの煮零れ汁がかかることを防止する煮零れ汁カバーが設けられており、
該煮零れ汁カバーよりも下方の位置には、前記支持パイプに沿って上昇する油煙の流れを遮る油煙カバーが設けられている
ことを特徴とする温度検出装置。
【請求項２】
請求項１に記載の温度検出装置において、
前記油煙カバーは、前記煮零れ汁カバーよりも小径で、且つ、前記ホルダーの下端よりも上方の位置に設けられている
ことを特徴とする温度検出装置。
【請求項３】
請求項２に記載の温度検出装置において、
前記煮零れ汁カバーは、前記ホルダーの外側に取り付けられた円筒部材の上端に該円筒部材と一体に形成されており、
前記油煙カバーは、前記円筒部材の下端に該円筒部材と一体に形成されている
ことを特徴とする温度検出装置。
【発明の詳細な説明】
【技術分野】
【０００１】
本発明は、ガスコンロの五徳上に載置された調理容器の底部に当接されて、調理容器の温度を検出する温度検出装置に関する。
【背景技術】
【０００２】
コンロバーナーの中央に突設されて、コンロバーナーで加熱調理される調理容器の温度を検出する温度検出装置が広く知られている。この温度検出装置は、コンロバーナーの中央の開口部に立設された支持パイプと、支持パイプに対して上下方向に移動可能に設けられた略円筒形状の感熱ヘッドとを備えている。感熱ヘッドはコイルスプリングによって上方に付勢されており、更に、感熱ヘッドには温度センサーが内蔵されている。そして、コンロバーナーの五徳上に調理容器が載置されると、調理容器の底部で感熱ヘッドが押し下げられて、感熱ヘッドの上端面が調理容器の底部に当接された状態となる。その結果、感熱ヘッドに内蔵された温度センサーで調理容器の温度を検出することが可能となる。
【０００３】
ここで、加熱調理中に調理容器から煮零れが発生することがある。感熱ヘッドの下端と支持パイプとの隙間に煮零れ汁が入り込むと、感熱ヘッドが支持パイプに固着してしまい、感熱ヘッドを上方に付勢しておくことができなくなる。すると、五徳上に調理容器を置いても感熱ヘッドの上端面を調理容器の底部に当接させることができなくなって、調理容器の温度を検出することができなくなる。
【０００４】
そこで、下向きに広がる円錐筒状部材（煮零れ汁カバー）を感熱ヘッドに取り付けて、感熱ヘッドの下端の部分を覆うようにすることで、たとえ煮零れが生じても、感熱ヘッドと支持パイプとの隙間には煮零れ汁が入り込まないようにした温度検出装置が提案されている（特許文献１）。
【先行技術文献】
【特許文献】
【０００５】
【特許文献１】特開２０１３−０４４４６８号公報
【発明の概要】
【発明が解決しようとする課題】
【０００６】
しかし、上記の提案されている温度検出装置では、感熱ヘッドの下端の部分を煮零れ汁カバーで覆って、感熱ヘッドと支持パイプとの隙間に煮零れ汁が入り込まないようにしているにも拘わらず、長い間の使用によっては感熱ヘッドが支持パイプに固着してしまい、調理容器の温度を検出することが困難になるという問題があった。
【０００７】
この発明は、従来の技術が有する上述した課題に対応してなされたものであり、長い間の使用によっても感熱ヘッドが支持パイプに固着することがなく、調理容器の温度を検出することが可能な温度検出装置の提供を目的とする。
【課題を解決するための手段】
【０００８】
上述した課題を解決するために、本発明の温度検出装置は次の構成を採用した。すなわち、
コンロバーナーの中央に設けられて、五徳上に置かれた調理容器の温度を検出する温度検出装置において、
前記コンロバーナーの中央に立設された支持パイプと、
上下方向に移動可能な態様で前記支持パイプに嵌め込まれたホルダーと、
前記ホルダーの上端に取り付けられた集熱板と、
該集熱板の下面に取り付けられた温度センサーと、
前記ホルダーを上方に付勢するコイルバネと
を備え、
前記ホルダーには、該ホルダーの下端に前記調理容器からの煮零れ汁がかかることを防止する煮零れ汁カバーが設けられており、
該煮零れ汁カバーよりも下方の位置には、前記支持パイプに沿って上昇する油煙の流れを遮る油煙カバーが設けられている
ことを特徴とする。
【０００９】
かかる本発明の温度検出装置においては、ホルダーが上下方向に移動可能な態様で支持パイプに嵌め込まれており、ホルダーには、ホルダーの下端に煮零れ汁がかかることを防止する煮零れ汁カバーが取り付けられている。更に、煮零れ汁カバーよりも下方の位置には、支持パイプに沿って上昇する油煙の流れを遮る油煙カバーが設けられている。
【００１０】
詳細には後述するが、煮零れ汁カバーで煮零れ汁を防いだだけでは、ホルダーと支持パイプとの固着を防ぐことができない理由は、次のようなものであると考えられる。先ず、煮零れが発生すると、コンロバーナーの下方に流れ落ちた煮零れ汁が加熱されて油煙を発生させる。発生した油煙は支持パイプに沿って上昇していくが、煮零れ汁カバーに油煙が達すると、油煙を形成していた微粒子が煮零れ汁カバーの裏面側一面に付着する。こうして油煙の微粒子が付着した部分には煮零れ汁が広がり易くなる。このため、煮零れ汁カバーに煮零れ汁がかかる度に、微粒子が付着した部分を伝うようにして煮零れ汁が少しずつ広がっていき、これに伴って、煮零れ汁が固化した部分も少しずつ広がっていく。その結果、やがては、ホルダーの下端の支持パイプとの隙間の部分に達して、ホルダーと支持パイプとを固着させる。
【００１１】
これに対して、本発明の温度検出装置では、煮零れ汁カバーよりも下方の位置に、油煙の流れを遮る油煙カバーが設けられている。このため、油煙カバーで油煙が遮られた部分では、煮零れ汁カバーに油煙の微粒子が付着することがなく、煮零れ汁が広がることもない。その結果、長い間の使用によっても、ホルダーが支持パイプに固着することなく、調理容器の温度を検出することが可能となる。
【００１２】
また、上述した本発明の温度検出装置においては、煮零れ汁カバーよりも小径に形成した油煙カバーを、ホルダーの下端よりも上方の位置に設けることとしてもよい。
【００１３】
こうすれば、油煙カバーを煮零れ汁カバーに近い位置に設けることができるので、煮零れ汁カバーに油煙の微粒子が付着することを、より確実に防ぐことができる。また、油煙カバーは煮零れ汁カバーよりも小径に形成されているので、煮零れ汁カバーの上面を流れ落ちた煮零れ汁が油煙カバーに付着することもない。このため、煮零れ汁が油煙カバーにかかってしまい、油煙カバーに付着した煮零れ汁が油煙カバーの下面側に広がって固化して、ホルダーを支持パイプに固着させる虞も生じない。
【００１４】
また、上述した本発明の温度検出装置においては、煮零れ汁カバーと、油煙カバーとを、円筒部材を介して一体に形成してもよい。そして、円筒部材ごと、煮零れ汁カバーと油煙カバーとをホルダーに取り付けることとしても良い。
【００１５】
こうすれば、円筒部材をホルダーに取り付けるだけで、煮零れ汁カバーおよび油煙カバーを取り付けることができる。このため、煮零れ汁カバーは有するが油煙カバーは有しない従来の温度検出装置に対して部品点数が増加することが無く、同程度の簡単さで製造することが可能となる。
【図面の簡単な説明】
【００１６】
【図１】本実施例の温度検出装置１００を搭載したガスコンロ１の構造を示す断面図である。
【図２】本実施例の感熱ヘッド１１０の内部構造を示す断面図である。
【図３】油煙カバー１１５ｂを備えない従来の感熱ヘッド２１０を例示した説明図である。
【図４】従来の感熱ヘッド２１０が長期の使用によって支持パイプ１２０に固着する理由を示した説明図である。
【図５】本実施例の温度検出装置１００では感熱ヘッド１１０が支持パイプ１２０に固着しない理由を示した説明図である。
【図６】各種変形例の温度検出装置１００の感熱ヘッド１１０を例示した説明図である。
【発明を実施するための形態】
【００１７】
図１は、本実施例の温度検出装置１００を搭載したガスコンロ１の構造を示す断面図である。ガスコンロ１は、コンロ本体（図示せず）の上面を覆って設けられ且つバーナー用開口４が形成された天板２と、バーナー用開口４に臨んで設けられて燃料ガスを燃焼させることによって調理容器を加熱するコンロバーナー１０と、鍋などの調理容器が置かれる五徳３と、五徳３上に置かれた調理容器の温度を検知するための温度検出装置１００などを備えている。
【００１８】
コンロバーナー１０は、円環形状に形成されたバーナーボディ１１と、バーナーボディ１１から延設された混合管１２と、バーナーボディ１１の上面に載置された円環形状のバーナーヘッド１３とを備えている。バーナーヘッド１３は、アルミニウムなどのダイカスト製であり、外周部の下面側には複数の溝（炎口溝）が形成されている。そして、バーナーヘッド１３をバーナーボディ１１に載置すると、バーナーヘッド１３に形成された複数の炎口溝とバーナーボディ１１の上面との間に複数の炎口１３ａが形成される。また、バーナーボディ１１の上部には、板金製のバーナーキャップ１４が取り付けられている。
【００１９】
バーナーボディ１１から延設された混合管１２の開口端１２ａから、混合管１２内に向けて燃料ガスを噴射すると、混合管１２の内部で燃料ガスと空気との混合ガスが生成されて、バーナーボディ１１に供給され、炎口１３ａから混合ガスが流出する。そして、この混合ガスに点火プラグ１５で点火することによって、コンロバーナー１０の燃焼を開始することができる。混合ガスの燃焼には二次空気が必要となるが、二次空気の半分程度は、コンロバーナー１０の中央に形成された開口部１０ａを通って、バーナーヘッド１３とバーナーキャップ１４との隙間から供給される。このため、コンロバーナー１０の燃焼中の開口部１０ａには、二次空気による上向きの強い流れが形成されている。
【００２０】
また、開口部１０ａの内側には、支持パイプ１２０が立設され、支持パイプ１２０の上端には、略円筒形の感熱ヘッド１１０が支持パイプ１２０に対して摺動可能に取り付けられている。この感熱ヘッド１１０および支持パイプ１２０によって、本実施例の温度検出装置１００が形成されている。詳細には後述するが、感熱ヘッド１１０には温度センサーやコイルバネが内蔵されており、コイルバネが感熱ヘッド１１０を上方に付勢する結果、五徳３上に調理容器が置かれていない場合には、感熱ヘッド１１０の上端が五徳３の上面（調理容器が置かれる面）よりも突出した状態となっている。そして、五徳３上に調理容器が置かれると、調理容器の底部で感熱ヘッド１１０が押し下げられると共に、感熱ヘッド１１０の上端面がコイルバネの力によって調理容器の底部に当接する。このため、感熱ヘッド１１０に内蔵した温度センサーによって調理容器の底部の温度を検出することが可能となる。
【００２１】
図２は、本実施例の感熱ヘッド１１０の内部構造を示した断面図である。感熱ヘッド１１０は、板金によって形成された略円筒形状のホルダー１１１と、ホルダー１１１の上端を閉塞するように取り付けられた金属製の集熱板１１２と、集熱板１１２の下面に取り付けられた温度センサー１１３と、集熱板１１２と共にホルダー１１１を上方に付勢するコイルバネ１１４とを備えている。尚、本実施例では、ホルダー１１１の上端がフランジ状に加工されてフランジ部１１１ａが形成されており、そのフランジ部１１１ａに集熱板１１２がカシメ止めされているが、ロウ付け（あるいは溶接）などによって集熱板１１２をホルダー１１１に取り付けてもよい。
【００２２】
感熱ヘッド１１０が取り付けられる支持パイプ１２０は、上端がフランジ状に形成されており、このフランジ状に形成された部分がホルダー１１１の内側に挿入されている。このためホルダー１１１は、支持パイプ１２０に対して軸方向に移動可能となっている。また、ホルダー１１１の下端側は所定長さに亘って縮径されており、ホルダー１１１の縮径された部分の内周面と、支持パイプ１２０の外周面との間に、嵌合部１１０ａが形成されている。このため、支持パイプ１２０の拡径部分がホルダー１１１内に挿入された状態でホルダー１１１が移動しても、支持パイプ１２０から外れることはない。更に、コイルバネ１１４は、ホルダー１１１内で少し圧縮された状態で収納されており、このため、感熱ヘッド１１０を常に上方に付勢している。また、温度センサー１１３からは２本のリード線１１６が引き出されて、ガラス繊維で編み組された剛性のある耐熱チューブ１１７で保護された状態で、支持パイプ１２０の内部を通して外部に接続されている。
【００２３】
更に、本実施例の感熱ヘッド１１０には、ホルダー１１１下部の縮径された部分にカバー部材１１５が取り付けられている。このカバー部材１１５は、筒状に形成された円筒部材１１５ｃと、円筒部材１１５ｃの上端部分を下向きに広がる円錐筒状にプレス加工することによって形成された煮零れ汁カバー１１５ａと、円筒部材１１５ｃの下端部分をフランジ状にプレス加工することによって形成された油煙カバー１１５ｂとを備えている。油煙カバー１１５ｂの外径は、煮零れ汁カバー１１５ａの外径よりも小さく形成されている。また、カバー部材１１５は、油煙カバー１１５ｂがホルダー１１１の下端よりも上方となるような位置で、ホルダー１１１に取り付けられている。
【００２４】
このように、本実施例の温度検出装置１００は、煮零れ汁カバー１１５ａに加えて、煮零れ汁カバー１１５ａの下方の位置に油煙カバー１１５ｂを備えているために、長期に亘って使用した場合でも、感熱ヘッド１１０が支持パイプ１２０に固着することがない。以下ではこの理由を説明する準備として、油煙カバー１１５ｂを備えない従来の感熱ヘッド２１０の場合について説明する。
【００２５】
図３は、油煙カバー１１５ｂを持たない従来の感熱ヘッド２１０の大まかな形状を示した説明図である。図示されるように、従来の感熱ヘッド２１０には、ホルダー１１１の下部に煮零れ汁カバー２１５ａが取り付けられているものの、本実施例の感熱ヘッド１１０が備える油煙カバー１１５ｂは有していない。
【００２６】
このような従来の感熱ヘッド２１０においても、煮零れ汁は、図３（ａ）中に太い破線の矢印で示したように、煮零れ汁カバー２１５ａの上を流れ落ちるので、ホルダー１１１と支持パイプ１２０との隙間には煮零れ汁が入り込むことはなく、従って、感熱ヘッド２１０が固着することはないと考えられていた。しかし、長期に亘って使用していると、図３（ｂ）中に太い破線の矢印で示したように、煮零れ汁カバー２１５ａの裏面側を、下端から遡るようにして油汚れが広がっていき、ついにはホルダー１１１の下端に達して感熱ヘッド２１０を固着させてしまう。このような現象が発生するメカニズムは次のようなものであると考えられる。
【００２７】
図４は、従来の感熱ヘッド２１０では煮零れ汁カバー２１５ａの裏面側を油汚れが広がっていく理由を示した説明図である。図４では、ホルダー１１１の下部が拡大して示されている。煮零れが発生すると、図４（ａ）に示されるように、煮零れ汁は煮零れ汁カバー２１５ａの上面を流れ落ちていく。図４（ａ）中の斜線を付した部分は、煮零れ汁カバー２１５ａの上面を流れ落ちる煮零れ汁を表している。
【００２８】
流れ落ちた煮零れ汁は、コンロバーナー１０（図１参照）の下部に貯まって、その後、加熱調理される度にコンロバーナー１０の炎からの輻射熱で加熱される。このため、やがては煮零れ汁から油煙が発生して、図４（ｂ）に破線の矢印で示したように、支持パイプ１２０に沿って上昇して行き、煮零れ汁カバー２１５ａの裏面側に達する。その結果、煮零れ汁カバー２１５ａの裏面側には、油煙を形成していた油性の微粒子が付着する。図４（ｂ）で煮零れ汁カバー２１５ａの裏面側に表示した小さな黒丸は、油煙に起因する微粒子が付着した様子を表している。尚、図示の関係上から、図４では、微粒子（黒丸）の大きさを実際よりも大きく表示し、且つ、付着している密度も実際よりは低く（疎らに付着しているように）表示してある。
【００２９】
こうして煮零れ汁カバー２１５ａの裏面側に油性の微粒子が付着した状態で、煮零れが発生すると、煮零れ汁が煮零れ汁カバー２１５ａの上面を流れ落ちた後、煮零れ汁カバー２１５ａの下端に煮零れ汁の滴が付着する。図４（ｃ）には、煮零れ汁カバー２１５ａの下端に付着した煮零れ汁の滴が、斜線を付して表示されている。ここで、煮零れ汁は油成分を含んでいるので、煮零れ汁カバー２１５ａの裏面側に付着した油性の微粒子と親和性が高く、煮零れ汁カバー２１５ａの裏面側は煮零れ汁によって濡れ易い状態となっている。尚、「煮零れ汁によって濡れ易い状態」とは、煮零れ汁が球形となって表面積が小さい状態となるよりも、煮零れ汁が物体の表面（ここでは煮零れ汁カバー２１５ａの裏面）に薄く広がった方が、界面エネルギーが小さくなる状態である。このため、煮零れ汁カバー２１５ａの下端に付着した煮零れ汁の滴は、煮零れ汁カバー２１５ａの裏面側を遡るようにして上方に広がっていく。
【００３０】
また、図１を用いて前述したように、コンロバーナー１０の燃焼中の開口部１０ａには、下方から上方に向かう二次空気の強い流れが発生する。図４（ｃ）中に示した白抜きの矢印は、このような二次空気の流れをあらわしている。このため煮零れ汁の滴は、二次空気の流れに後から押されるようにして、煮零れ汁カバー２１５ａの裏面側を上方に遡っていく。そして、こうして煮零れ汁カバー２１５ａの裏面側を広がった煮零れ汁は、コンロバーナー１０からの熱の影響を受けながら乾燥して、次第に固化した状態となる。
【００３１】
煮零れが発生する度に、このようなことが繰り返される結果、煮零れ汁カバー２１５ａの裏面側を上方に遡るようにして、煮零れ汁が固化した部分が広がっていく。図４（ｄ）に細かい斜線を付して表示した領域は、煮零れ汁が固化した部分を表している。このため、コンロバーナー１０を長い期間に亘って使い続けていると、固化した部分がホルダー１１１の下端に達して、感熱ヘッド２１０が支持パイプ１２０に固着してしまうものと考えられる。これに対して、本実施例の感熱ヘッド１１０は、煮零れ汁カバー１１５ａの下方に油煙カバー１１５ｂを備えているので、長期に亘って使用しても感熱ヘッド１１０が支持パイプ１２０に固着することが無い。
【００３２】
図５は、油煙カバー１１５ｂを備える本実施例の感熱ヘッド１１０では、固着が発生しない理由を示した説明図である。図５においても、ホルダー１１１の下部が拡大して示されている。本実施例の感熱ヘッド１１０でも、図４を用いて前述した従来の感熱ヘッド２１０と同様に、煮零れが発生すると、煮零れ汁カバー１１５ａの上面を煮零れ汁が流れ落ちていく（図５（ａ）参照）。そして、流れ落ちた煮零れ汁は、コンロバーナー１０（図１参照）の下部に貯まって油煙を発生させる。
【００３３】
発生した油煙は、図５（ｂ）中に破線の矢印で示したように支持パイプ１２０に沿って上昇して行くが、煮零れ汁カバー１１５ａの下方には油煙カバー１１５ｂが設けられている。このため、煮零れ汁カバー１１５ａの裏面側の前面に油性の微粒子が付着するわけではなく、油煙カバー１１５ｂで遮られた部分には微粒子が付着しない。また、前述したように、煮零れ汁カバー１１５ａは油煙カバー１１５ｂよりも大径に形成されているので、油煙カバー１１５ｂで遮られていない半径方向外側の部分には、煮零れ汁カバー１１５ａの裏面側に微粒子が付着する。もちろん、油煙カバー１１５ｂの下面側には、一面に微粒子が付着する。尚、図５でも、前述した図４と同様に、油性の微粒子を小さな黒丸によって表している。
【００３４】
続いて、煮零れが発生すると、図５（ｃ）に斜線を付して示したように、煮零れ汁カバー１１５ａの下端に煮零れ汁の滴が付着する。そして、煮零れ汁カバー１１５ａの裏面側の半径方向外側の部分には、油性の微粒子が付着しているので、煮零れ汁の滴は煮零れ汁カバー１１５ａの裏面側を遡るように広がっていく。但し、本実施例の感熱ヘッド１１０では、煮零れ汁カバー１１５ａの裏面側に油性の微粒子が付着しているのは、半径方向外側の部分に限られており、油煙カバー１１５ｂで油煙が遮られた半径方向内側の部分には微粒子は付着していない。このため、微粒子が付着した部分に煮零れ汁が広がった後は、それ以上に広がることはない。また、油煙カバー１１５ｂは、図５（ｃ）中に白抜きの矢印で示した二次空気の流れも遮るので、二次空気の流れに押されて、煮零れ汁が煮零れ汁カバー１１５ａの裏面側を遡っていくこともない。このため、本実施例の感熱ヘッド１１０では、煮零れ汁カバー１１５ａの裏面側の半径方向外側の部分では、煮零れ汁が固化した状態となるものの、固化した部分がそれ以上に広がることはない。尚、図５（ｄ）に細かい斜線を付した部分は、煮零れ汁が固化した領域を表している。
【００３５】
また、図５（ｂ）に示したように、油煙カバー１１５ｂの下面には油煙による微粒子が付着しているが、油煙カバー１１５ｂの上方には、油煙カバー１１５ｂよりも大径に形成された煮零れ汁カバー１１５ａが設けられている。このため、煮零れ汁は、煮零れ汁カバー１１５ａで遮られて油煙カバー１１５ｂにかかることはなく（図５（ａ）参照）、従って、油煙カバー１１５ｂに煮零れ汁の滴が付着することもない。このため、油煙カバー１１５ｂの下面側には油煙による微粒子が付着しているものの、そこに煮零れ汁が広がって固化することはない。その結果、油煙カバー１１５ｂから煮零れ汁の固化した部分が広がって、感熱ヘッド１１０が支持パイプ１２０に固着することもない。
【００３６】
更に、本実施例の感熱ヘッド１１０では、煮零れ汁カバー１１５ａおよび油煙カバー１１５ｂが、カバー部材１１５として一体に形成されているので、ホルダー１１１の下部にカバー部材１１５を取り付けるだけで、煮零れ汁カバー１１５ａおよび油煙カバー１１５ｂを取り付けることができる。このため、従来の感熱ヘッド２１０に対しても、何ら製造工程が複雑化することもない。また、このように煮零れ汁カバー１１５ａと油煙カバー１１５ｂとを一体に形成しておけば、煮零れ汁カバー１１５ａと油煙カバー１１５ｂとの位置関係（距離や同軸度）の管理が容易となるので、温度検出装置１００の製造バラツキも抑制することが可能となる。
【００３７】
上述した本実施例の温度検出装置１００には、幾つかの変形例が存在する。以下では、これら変形例について、本実施例の温度検出装置１００との相違点を中心として簡単に説明する。図６は、変形例の温度検出装置１００の感熱ヘッド１１０をまとめて示した説明図である。上述した本実施例では、油煙カバー１１５ｂは水平な円板形状に形成されているものとして説明した。しかし、図６（ａ）に示したように、油煙カバー１１５ｂも煮零れ汁カバー１１５ａと同様に、下方に広がる円錐筒状に形成しても良い。
【００３８】
また、上述した本実施例では、煮零れ汁カバー１１５ａは下方に広がる円錐筒状に形成されているものとして説明した。しかし、図６（ｂ）に示したように、煮零れ汁カバー１１５ａも油煙カバー１１５ｂと同様に、水平な円板形状に形成しても良い。
【００３９】
あるいは、上述した本実施例では、煮零れ汁カバー１１５ａおよび油煙カバー１１５ｂの何れも、ホルダー１１１に取り付けられているものとして説明した。しかし、油煙カバー１１５ｂは煮零れ汁カバー１１５ａの下方に取り付けられていれば良く、従って、図６（ｃ）に細い破線で示したように、ホルダー１１１が押し下げられた位置よりも下側であれば、支持パイプ１２０に油煙カバー１１５ｂを取り付けても良い。
【００４０】
あるいは、上述した本実施例では、油煙カバー１１５ｂは煮零れ汁カバー１１５ａよりも小径に形成されているものとして説明した。しかし、油煙カバー１１５ｂを支持パイプ１２０に取り付けるのであれば、図６（ｄ）に示したように、油煙カバー１１５ｂを煮零れ汁カバー１１５ａよりも大径に形成しても良い。もちろん、油煙カバー１１５ｂを煮零れ汁カバー１１５ａよりも大径に形成した場合は、煮零れ汁カバー１１５ａの上面を流れ落ちた煮零れ汁が油煙カバー１１５ｂにかかって煮零れ汁の滴が付着する。その結果、油煙カバー１１５ｂの裏面側に付着した油性の微粒子を伝わって広がった煮零れ汁が固化することになる。しかし、ホルダー１１１の下端は、油煙カバー１１５ｂよりも上方にあるので、油煙カバー１１５ｂの下面側で固化した部分が広がっても、感熱ヘッド１１０が支持パイプ１２０に固着することはない。
【００４１】
以上、本実施例および各種変形例の温度検出装置１００について説明したが、本発明は上記の実施例に限られるものではなく、その要旨を逸脱しない範囲において種々の態様で実施することが可能である。
【符号の説明】
【００４２】
１…ガスコンロ、          ２…天板、                  ３…五徳、
１０…コンロバーナー、    １０ａ…開口部、            １３…バーナーヘッド、
１００…温度検出装置、    １１０…感熱ヘッド、        １１１…ホルダー、
１１２…集熱板、        １１３…温度センサー、        １１４…コイルバネ、
１１５…カバー部材、    １１５ａ…煮零れ汁カバー、    １１５ｂ…油煙カバー、
１１６…リード線、      １２０…支持パイプ。
【図１】
2016008727.tif 000003
【図２】
2016008727.tif 000004
【図３】
2016008727.tif 000005
【図４】
2016008727.tif 000006
【図５】
2016008727.tif 000007
【図６】
2016008727.tif 000008